(57)【要約】      （修正有）【課題】発熱層の上部に載置される屋内プール躯体の建設時の溶接熱や荷重から発熱層を保護することが可能で、かつ漏水を最小限に抑えることが可能な漏水検知及び漏水拡大防止機能を備えた屋内プールの下部構造を提供する。【解決手段】温度センサーとしての複数の光ファイバー４と、該光ファイバー４の上部に敷設及び又は周囲を被覆するように配置され、かつ吸水性ポリマー及び水と反応して発熱する物質を混合した吸水性及び吸水時の発熱性を有する吸水性発熱材５ａで構成された扁平層状及び又はチューブ状の発熱層５と、該発熱層５の上部に敷設された透水性に加えて断熱性及び耐熱性を有する透水性断熱材６ａで構成された保護層６とで構成された構造であることを特徴とする。【選択図】図１
2018184799.tif 000002
【特許請求の範囲】
【請求項１】
屋内プール躯体と基礎との間に配置した漏水検知及び漏水拡大防止機能を備えた屋内プールの下部構造であって、
該屋内プールの下部構造は、
温度センサーとしての複数の光ファイバーと、
該光ファイバーの上部に敷設及び又は周囲を被覆するように配置され、かつ吸水性ポリマー及び水と反応して発熱する物質を混合した吸水性及び吸水時の発熱性を有する吸水性発熱材で構成された扁平層状及び又はチューブ状の発熱層と、
該発熱層の上部に敷設された透水性に加えて断熱性及び耐熱性を有する透水性断熱材で構成された保護層とで構成された構造であることを特徴とする漏水検知及び漏水拡大防止機能を備えた屋内プールの下部構造。
【請求項２】
請求項１記載の発熱層を、複数の鉛直方向の仕切りで区切った区画毎に、
吸水性ポリマー及び水と反応して発熱する物質を混合した吸水性及び吸水時の発熱性を有する吸水性発熱材の上下を透水性の被覆シートで挟持して被覆した吸水性発熱シート材を単数又は複数敷き並べて扁平層状に構成したことを特徴とする請求項１記載の漏水検知及び漏水拡大防止機能を備えた屋内プールの下部構造。
【請求項３】
請求項１記載の複数の光ファイバー又は請求項１記載の吸水性発熱材で被覆された光ファイバーを、
請求項１記載の基礎の表面に平行又は直交して複数配置され、かつ請求項１記載の光ファイバー又は該光ファイバーを被覆した吸水性発熱材を嵌入する幅と深さを有する溝に嵌入して配置した構造であることを特徴とする請求項１記載の漏水検知及び漏水拡大防止機能を備えた屋内プールの下部構造。
【発明の詳細な説明】
【技術分野】
【０００１】
この発明は、光ファイバーを利用した漏水検知と漏水拡大防止機能を備えた屋内プールの下部構造に関するものである。
【背景技術】
【０００２】
競泳用や遊泳用のプールでは、プール躯体の欠陥や経年劣化によりプール躯体から漏水を生じる場合があるが、一般に漏水検知設備を備えていないため、プール設置エリアの基礎や床に大量のプール水が漏出した段階になって漏水に気付き、排水や漏水箇所の特定を行った後、プール躯体の補修作業を行っている。
一方、廃棄物処分場等においては、底部に敷設した遮水シートの破損による廃棄物等から出る汚水の流出を初期段階で検知して止水するために、光ファイバーを利用した漏水検知や水硬化性物質を利用した漏水防止構造等が考えられており、以下の従来技術が開示されている。
【０００３】
特許文献１「漏水検出機能を有する遮水シート及び遮水シートの漏水検出方法」には、柔軟性のある長尺の２層の遮水シート層と、前記２層の遮水シート層間に、水と反応して発熱する物質を介在させて形成した発熱層と、前記発熱層に長尺方向に配設した温度センサとを備えた漏水検出機能を有する遮水シートが開示されている。
【０００４】
特許文献２「地中掘削穴における漏水箇所の特定方法」には、地中掘削穴内の漏水防止面下に水と反応して発熱現象を示す水硬化性物質の層を設けておき、漏水時に漏水防止面を通して漏れた水と前記水硬化性物質層との反応により発生する熱を、光ファイバー等で検知して漏水箇所を特定する地中掘削穴における漏水箇所の特定方法が開示されている。
【０００５】
特許文献３「漏水検知システム、漏水検知装置及び漏水検知方法」には、漏水を検知する検知領域に敷設される光ファイバーと、該光ファイバーと接続される漏水検知装置とを含み、前記光ファイバーの表面に吸水により温度変化する材料が塗布され、前記漏水検知装置が、前記光ファイバーに向けて光信号を送信する光源と、光ファイバーの温度に応じて変化する光信号から得られる情報に基づいて検知領域の漏水を検知する制御部とを有する漏水検知システムが開示されている。
【０００６】
特許文献４「漏水検知線」には、間隔をおいて並置された一対のスペーサ線を介して２枚の透水性テープを積層固定するとともに、スペーサ線間に水と反応して発熱もしくは吸熱する物質とともに光ファイバ心線を配置した漏水検知線が開示されている。
【先行技術文献】
【特許文献】
【０００７】
【特許文献１】特開平７−９２０５４号公報
【特許文献２】特開平１０−６６９４５号公報
【特許文献３】特開２０１６−１２１９５８号公報
【特許文献４】実開平７−１４３４９号公報
【発明の概要】
【発明が解決しようとする課題】
【０００８】
競泳用や遊泳用のプールでは、プール躯体の欠陥や経年劣化によりプール躯体から漏水した場合、プール設置エリアの基礎や床に大量のプール水が漏出した段階になって漏水に気付くため、溜まった漏水の排水と並行してプール水の排水を行ったうえで漏水箇所の特定と補修や改修を行う必要があり、多くの時間と費用を要していた。
一方、廃棄物処分場等においては、光ファイバー温度センサと水と反応して発熱する物質（以下、水和発熱物質と称す）とを組み合わせた漏水検知方法により、遮水シートが破損した場合の漏水を迅速に検知する技術が開示されている。また、水和発熱物質の硬化による止水効果も考慮された技術が開示されている。但し、前記の従来技術は、漏水により吸水した物質や硬化した物質、或いは劣化した光ファイバー等の取替えを考慮したものではなく、漏水の影響を受けた範囲の改修や補修について十分考慮された技術ではなかった。
【０００９】
特許文献１「漏水検出機能を有する遮水シート及び遮水シートの漏水検出方法」は、
遮水シート層間の発熱層内に水が浸入し、発熱する物質が水和反応を起こして発熱した状態を光ファイバ温度センサで検出する漏水検出方法と遮水シート層の構造に関するものであるが、遮水シート層間に光ファイバ温度センサを配置したものであり、発熱層を保護するために、発熱層の上部に透水性に加え耐熱性と断熱性を有す保護層を配置したプールの下部構造に関するものではない。また、漏水により吸水して水和反応を起こしてしまった物質や劣化した光ファイバー等の取替えを考慮した構造に関するものでもない。
【００１０】
特許文献２「地中掘削穴における漏水箇所の特定方法」は、漏れた水と水硬化性物質層との水和反応による発熱箇所を光ファイバーで検知して漏水箇所の特定と水硬化性物質による止水効果を得る方法に関するものであるが、発熱層を保護するために、発熱層の上部に透水性に加え耐熱性と断熱性を有す保護層を配置したプールの下部構造に関するものではない。また、漏水により吸水して水和反応を起こしてしまった物質や劣化した光ファイバー等の取替えを考慮した構造に関するものでもない。
【００１１】
特許文献３「漏水検知システム、漏水検知装置及び漏水検知方法」は、吸水により発熱する吸着剤を塗布した光ファイバーにより、吸着剤の発熱による温度変化を検出し、漏水を検知する方法に関するものであるが、上部構造物の建設時の溶接熱から発熱層と    光ファイバーを保護することを考慮した漏水検知方法ではなく、また光ファイバー劣化時の取替えを考慮した漏水検知装置でもない。
【００１２】
特許文献４「漏水検知線」は、被検知機器の周囲や床等に敷設し、漏水した水が透水性テープを介して内部に浸入した後、発熱もしくは吸熱する物質と反応して生じる温度変化を、光ファイバで検知して漏水位置を特定する漏水検知線に関するものであるが、２枚の積層固定された透水性テープを含めた漏水検知線は上部構造物の建設時の溶接熱に対する耐熱性や断熱性が考慮されたものではない。
【００１３】
この発明の目的は、前述のような従来技術が有する問題点に鑑みてなされたもので、
発熱層の上部に載置される屋内プール躯体の建設時の溶接熱や荷重から前記発熱層を保護することが可能で、かつ漏水を最小限に抑えることが可能な漏水検知及び漏水拡大防止機能を備えた屋内プールの下部構造を提供する。
【課題を解決するための手段】
【００１４】
請求項１の発明に係る漏水検知及び漏水拡大防止機能を備えた屋内プールの下部構造は、
屋内プール躯体と基礎との間に配置した漏水検知及び漏水拡大防止機能を備えた屋内プールの下部構造であって、
該屋内プールの下部構造は、
温度センサーとしての複数の光ファイバーと、
該光ファイバーの上部に敷設及び又は周囲を被覆するように配置され、かつ吸水性ポリマー及び水と反応して発熱する物質を混合した吸水性及び吸水時の発熱性を有する吸水性発熱材で構成された扁平層状及び又はチューブ状の発熱層と、
該発熱層の上部に敷設された透水性に加えて断熱性及び耐熱性を有する透水性断熱材で構成された保護層とで構成された構造であることを特徴とする。
【００１５】
請求項２の発明に係る漏水検知及び漏水拡大防止機能を備えた屋内プールの下部構造は、
請求項１記載の発熱層を、複数の鉛直方向の仕切りで区切った区画毎に、
吸水性ポリマー及び水と反応して発熱する物質を混合した吸水性及び吸水時の発熱性を有する吸水性発熱材の上下を透水性の被覆シートで挟持して被覆した吸水性発熱シート材を単数又は複数敷き並べて扁平層状に構成したことを特徴とする。
【００１６】
請求項３の発明に係る漏水検知及び漏水拡大防止機能を備えた屋内プールの下部構造は、
請求項１記載の複数の光ファイバー又は請求項１記載の吸水性発熱材で被覆された光ファイバーを、
請求項１記載の基礎の表面に平行又は直交して複数配置され、かつ請求項１記載の光ファイバー又は該光ファイバーを被覆した吸水性発熱材を嵌入する幅と深さを有する溝に嵌入して配置した構造であることを特徴とする。
【発明の効果】
【００１７】
請求項１の発明に係る漏水検知及び漏水拡大防止機能を備えた屋内プールの下部構造は、
屋内プール躯体と基礎との間に配置した漏水検知及び漏水拡大防止機能を備えた屋内プールの下部構造であって、
該屋内プールの下部構造は、
温度センサーとしての複数の光ファイバーと、
該光ファイバーの上部に敷設及び又は周囲を被覆するように配置され、かつ吸水性ポリマー及び水と反応して発熱する物質を混合した吸水性及び吸水時の発熱性を有する吸水性発熱材で構成された扁平層状及び又はチューブ状の発熱層と、
該発熱層の上部に敷設された透水性に加えて断熱性及び耐熱性を有する透水性断熱材で構成された保護層とで構成された構造であるので、
プール躯体が欠陥や経年劣化によって漏水した場合に、プール躯体下部の透水性を有する保護層が容易に漏水を透水させ、吸水性発熱材に漏水を吸水させて発熱させることにより、光ファイバーで温度上昇を容易に検知できるようになり、早期に漏水を検知することが可能である。
吸水性ポリマー及び水と反応して発熱する物質を混合した吸水性及び吸水時の発熱性を有する吸水性発熱材で構成された扁平層状の発熱層上部に、プール躯体の荷重と溶接熱に耐えることが可能な断熱性及び耐熱性を有する透水性断熱材で構成された保護層を設けることにより、該保護層を施工した後に、上部に載置するプール躯体の溶接施工が可能である。すなわち、前記発熱層を損傷させることなく該プール躯体の溶接施工が可能となる。また、屋内プール使用時の水の保温効果を高めることも可能である。
発熱層や保護層をプール躯体下部に敷設してプール全体の荷重を支持することにより、光ファイバーを溶接熱や上部構造物の荷重から確実に保護することが可能である。
扁平層状の発熱層を基礎上の光ファイバー上部に敷設するか、或いはチューブ状の吸水性発熱材を光ファイバーに被覆して配置した構造とすることにより、プール躯体が欠陥や経年劣化によって漏水を生じた場合に、前記吸水性ポリマーが迅速に水を吸収して浸水を抑制し、漏水による被害を最小限に抑えるとともに、水を吸収した発熱層の取替範囲を限定することが可能となり、プール躯体や水を含んだ下部構造の補修や取替えに要する費用、時間を抑制することができる。
【００１８】
請求項２の発明に係る漏水検知及び漏水拡大防止機能を備えた屋内プールの下部構造は、
請求項１記載の発熱層を、複数の鉛直方向の仕切りで区切った区画毎に、
吸水性ポリマー及び水と反応して発熱する物質を混合した吸水性及び吸水時の発熱性を有する吸水性発熱材の上下を透水性の被覆シートで挟持して被覆した吸水性発熱シート材を単数又は複数敷き並べて扁平層状に構成したので、
プール躯体から漏水した場合に、吸水性発熱シート材の吸水範囲及び取替範囲を限定することができ、吸水してしまった吸水性発熱シート材のみを取り替えることが可能で、取替作業が容易となる。
また、透水性を有す被覆シート内の水和発熱物質が漏水した水分と迅速に反応して発熱し、その発熱反応を光ファイバーで容易に検知し、早期に漏水検知及び漏水箇所の特定を行うことが可能である。
さらに、水和発熱物質及び吸水性ポリマーが被覆シートに封入されているため、吸水性発熱シート材の敷設時や取替え時に水和発熱物質及び吸水性ポリマーが外部へ漏れることが無く、吸水した吸水性発熱シート材の取替えが容易である。
【００１９】
請求項３の発明に係る漏水検知及び漏水拡大防止機能を備えた屋内プールの下部構造は、
請求項１記載の複数の光ファイバー又は請求項１記載の複数の吸水性発熱材で被覆された光ファイバーを、
請求項１記載の基礎の表面に平行又は直交して複数配置され、かつ請求項１記載の光ファイバー又は該光ファイバーを被覆した吸水性発熱材を嵌入する幅と深さを有する溝に嵌入して配置した構造であるので、
吸水性発熱材で構成される発熱層、透水性断熱材で構成される保護層及びプール躯体を含む上部構造物の荷重の影響を受けることがなく、水を含んだ吸水性発熱材や劣化した光ファイバーを前記構造物が載置された状態で着脱自在に引抜き又は挿通して容易に取替えることが可能である。
【図面の簡単な説明】
【００２０】
【図１】本発明に係る漏水検知及び漏水拡大防止機能を備えた屋内プールの下部構造の事例の概略を示す断面図である。
【図２】図１のＡ部を拡大して示す第１事例の断面図である。
【図３】図１のＢ部を拡大して示す第２事例の断面図である。
【図４】図１の光ファイバー４の敷設状況の事例を示す平面断面図である。
【発明を実施するための形態】
【００２１】
本発明に係る漏水検知及び漏水拡大防止機能を備えた屋内プールの下部構造の実施形態例について図１から図４を参照しながら説明する。なお、本発明は下記の実施形態にのみ限定されるものではない。本発明の要旨を逸脱しない範囲で下記の構成要素の省略または付加、構成要素の形状等の実施形態の変更を加えることが出来るのはもちろんである。また、図は概略を示すもので、一部のみを描き詳細構造は省略した。
【００２２】
図１は、本発明に係る漏水検知及び漏水拡大防止機能を備えた屋内プールの下部構造の事例の概略を示す断面図であり、図２、図３は図１のＡ部又はＢ部を拡大して示す第１事例又は第２事例の断面図である。
漏水検知及び漏水拡大防止機能を備えた屋内プールの下部構造１は、屋内プール２の躯体２ａと基礎８との間に配置する。図１乃至図３は屋内プール２を建物の床８ａ上に設置する事例を示す。
漏水検知及び漏水拡大防止機能を備えた屋内プールの下部構造１は、温度変化検知通報機能と温度変化箇所通知機能とを有する漏水監視装置３に接続された温度センサーとしての複数の光ファイバー４と、該光ファイバー４の上部に敷設され、かつ吸水性ポリマー及び水和発熱物質を混合した吸水性発熱材５ａで構成された扁平層状の発熱層５と、該発熱層５の上部に敷設された透水性に加えて断熱性及び耐熱性を有する透水性断熱材６ａで構成された保護層６とで構成される。
【００２３】
光ファイバー４は、図３に示す通り、前記吸水性発熱材５ａをチューブ状に形成し、吸水性発熱チューブ材５ａ１で周囲を被覆した構造としても良い。
前記吸水性発熱チューブ材５ａ１は、シート状の吸水性発熱材５ａを光ファイバー４に巻き付けて環状に被覆した構造とする。
【００２４】
発熱層５は、粉体状の水和発熱物質と、該水和発熱物質と接触するように粉体状の吸水性ポリマーを混合し、上下を被覆シートによって挟持して被覆し、扁平シート状に構成する。該被覆シートは、透水性を有し、前記水和発熱物質と吸水性ポリマーが外部に漏れないように、不織繊維シート等とする。
発熱層５は、複数の鉛直方向の仕切り（図示せず）でハニカム状に細かく区画し、該区画毎に面積が小さく、平面視が矩形や丸形等の吸水性発熱シート材５ａ２を単数又は複数敷き並べて、扁平層状に形成する。鉛直方向の撥水性の仕切りは、プール躯体２ａや保護層６の荷重を支持可能な強度を有していることとする。
このように粉体状の吸水性ポリマーを内包した吸水性発熱シート材５ａ２を区画毎に敷き並べて発熱層５を構成することにより、プール躯体２ａから漏水した場合に、吸水性発熱シート材５ａ２の吸水範囲及び取替範囲を限定することができ、吸水してしまった吸水性発熱シート材５ａ２のみを取り替えることが可能で、取替作業が容易となる。
また、透水性を有す被覆シートに内包された粉体状の水和発熱物質が漏水した水分と迅速に反応して発熱し、その発熱反応を光ファイバー４で容易に検知し、早期に漏水検知及び漏水箇所の特定を行うことが可能である。
さらに、粉体状の水和発熱物質及び吸水性ポリマーが被覆シートに封入されているため、吸水性発熱シート材５ａ２の敷設時や取替え時に粉体状の水和発熱物質及び吸水性ポリマーが外部へ漏れることが無く、吸水した吸水性発熱シート材５ａ２の取替えが容易である。
【００２５】
また、発熱層５だけでなく、保護層６を細かく区画した構造としても良い。この場合、区画する仕切りは、基礎８からプール躯体２ａ下部まで延伸させた構造とし、プール躯体２ａの荷重を支持可能な強度を有していることとする。
【００２６】
光ファイバー４は、図２に示す通り、基礎８の表面に平行又は直交して形成された複数の直線状の溝７に嵌入して配置されているか、或いは図３に示す通り、吸水性発熱チューブ材５ａ１を該光ファイバー４外面に環状に巻いて被覆した状態で溝７に嵌入して配置されている。溝７は、光ファイバー４又は該光ファイバー４に被覆した吸水性発熱チューブ材５ａ１を嵌入する幅と深さを有していることとする。
図２に示す発熱層５は、プール躯体２ａの欠陥や経年劣化による漏水を十分に吸水し、かつ吸水による発熱を光ファイバー４で検知できるように厚さを適宜設定する。つまり、発熱層５を構成する吸水性発熱シート材５ａ２の吸水による発熱箇所を光ファイバー４で検知できるように該吸水性発熱シート材５ａ２の厚みを適宜設定する。
また、図３のように、光ファイバー４に吸水性発熱チューブ材５ａ１を被覆する場合は、光ファイバー４を外部の衝撃等から更に保護することが可能であるが、漏水時に十分な吸水及び発熱検知ができるように、吸水性発熱チューブ材５ａ１及び吸水性発熱シート材５ａ２両方の厚みを適宜設定する。
【００２７】
図４は、図１の光ファイバー４の敷設状況の事例を示す平面断面図である。
複数の光ファイバー４又は吸水性発熱チューブ材５ａ１が環状に被覆された光ファイバー４は、屋内プール２の底面形状に合わせて該屋内プール躯体２ａ下部の基礎８の表面に平行又は直交して形成された複数の直線状の溝７内に嵌入されて配置され、片端部が漏水監視装置３に着脱可能に接続され、他端部が溝７から引抜き又は挿通して取替えることが可能に配置されている。図４に示す事例では、漏水検知範囲を広く確保するため、複数の光ファイバー４又は吸水性発熱チューブ材５ａ１が環状に被覆された光ファイバー４をプール躯体２ａ下部に、複数列配置されている。なお、複数の光ファイバー４を一定間隔で格子状に縦横に配置しても良い。
なお、この光ファイバー４の配置や相互間の距離は、プール躯体２ａが欠陥や経年劣化によって漏水した場合に、吸水性発熱材５ａが吸水して発熱するので、確実に光ファイバー４でその温度上昇を検知して漏水検知及び漏水箇所の特定ができるよう設定する。
【００２８】
次に、本発明の漏水検知及び漏水拡大防止機能を備えた屋内プールの下部構造１による漏水検知方法について説明する。
屋内プール２において、万が一プール躯体２ａの欠陥や経年劣化によって漏水が生じた場合、プール躯体２ａ下部に設置された保護層６を介して水が発熱層５に到達し、該発熱層５の水和発熱物質が水を吸収して発熱反応を起こし、光ファイバー４内を通る入射光に作用して後方散乱光を発生させる。これを光ファイバー４の入射光端側に接続した漏水監視装置３内のＯＴＤＲ（光パルス試験器、図示せず）で検知することで、後方散乱光を発生させた発熱箇所を漏水箇所として特定することが可能である。
【００２９】
本発明に係る漏水検知及び漏水拡大防止機能を備えた屋内プールの下部構造１の発熱層５を構成する吸水性発熱材５ａについて説明する。
吸水性発熱材５ａは、粉体状の吸水性ポリマー及び水和発熱物質を混合したもので、吸水性及び吸水時の発熱性を有している。
前記吸水性ポリマーは、水を迅速に吸水し、漏水の拡大を防止することが可能な高吸水性高分子とし、アクリル酸又はアクリル酸アルカリ金属塩の重合体等とする。
前記水和発熱物質は、カルシウム等の金属酸化物等とする。
【００３０】
次に漏水検知及び漏水拡大防止機能を備えた屋内プールの下部構造１の保護層６を構成する透水性断熱材６ａについて説明する。
透水性断熱材６ａは、適度な透水性を有し、かつプール躯体２ａの荷重と溶接熱に耐えることが可能な断熱性及び耐熱性を有するグラスウール、ロックウール、或いは多孔質セラミックス等とする。該透水性断熱材６ａを、鉛直方向の水を通す孔が複数設けられたブロック状の透水性断熱ブロック材６ａ１とし、該透水性断熱ブロック材６ａ１を複数敷き詰めて保護層６を構成することにより、プール躯体２ａが欠陥や経年劣化した場合の漏水の水平方向への広がりを抑えることが可能となる。
【００３１】
プール躯体２ａの欠陥や経年劣化による漏水で吸水してしまった吸水性発熱シート材５ａ２の取替手順の事例について説明する。
光ファイバー４で漏水検知及び漏水箇所の特定を行い、当該漏水箇所を含むプール躯体２ａ構成材を部分的に切り抜き、該プール躯体２ａ下部に敷設された保護層６を構成する既設の透水性断熱ブロック材６ａ１下部の発熱層５を構成する吸水してしまった既設の吸水性発熱シート材５ａ２のみを新規の吸水性発熱シート材５ａ２に取り替える。また、吸水性発熱シート材５ａ２下部の光ファイバー４が劣化している場合は、劣化した該光ファイバー４を引抜き、新規の光ファイバー４を挿通して取り替える。
吸水性発熱シート材５ａ２及び又は光ファイバー４の取替後は、新規の透水性断熱ブロック材６ａ１を該吸水性発熱シート材５ａ２上部に敷設する。
その後、プール躯体２ａの切り抜いた部分に該プール躯体２ａの構成材と同等の材料  を当て、その周縁部を水密となるように溶接等により接合して補修工事を完了する。
【００３２】
前記した取替手順を採用することにより、プール躯体２ａから漏水した場合に、プール躯体２ａ構成材を全体的に補修する必要がなく、光ファイバー４で特定した漏水箇所上部のプール躯体２ａ構成材のみを部分的に切り抜いて補修工事を行うことが可能となり、補修工事費用の削減や工期を短縮することが可能となる。
また、前記した通り、大きい面積を有す透水性断熱ブロック材６ａ１や吸水性発熱シート材５ａ２を基礎８上部に敷設した構造ではなく、仕切りで区切った区画毎に、小さい面積の透水性断熱ブロック材６ａ１や吸水性発熱シート材５ａ２を単数又は複数敷設して保護層６や発熱層５を構成しており、補修工事時に、吸水してしまった透水性断熱ブロック材６ａ１や吸水性発熱シート材５ａ２の取り替えに必要なプール躯体２ａ構成材のみを切り抜いて復旧すれば良いため、補修工事の規模を小さくすることが可能で、補修工事費用の削減や工期を短縮することが可能となる。
【００３３】
本発明の漏水検知及び漏水拡大防止機能を備えた屋内プールの下部構造１は、従来技術と比較し、以下の効果を有す。
プール躯体２ａが欠陥や経年劣化によって漏水した場合に、プール躯体２ａ下部の透水性を有する保護層６が容易に漏水を透水させ、吸水性発熱材５ａに漏水を吸水させて発熱させることにより、光ファイバー４で温度上昇を容易に検知できるようになり、早期に漏水を検知することが可能である。
吸水性ポリマー及び水と反応して発熱する物質を混合した吸水性及び吸水時の発熱性を有する吸水性発熱材５ａで構成された扁平層状の発熱層５上部に、プール躯体２ａの荷重と溶接熱に耐えることが可能な断熱性及び耐熱性を有する透水性断熱材６ａで構成された保護層６を設けることにより、該保護層６を施工した後に、上部に載置するプール躯体２ａの溶接施工が可能である。すなわち、前記発熱層５を損傷させることなく該プール躯体２ａの溶接施工が可能となる。また、屋内プール２使用時の水の保温効果を高めることも可能である。
発熱層５や保護層６をプール躯体２ａ下部に敷設してプール２全体の荷重を支持することにより、光ファイバー４を溶接熱や上部構造物の荷重から確実に保護することが可能である。
扁平層状の発熱層５を基礎８上の光ファイバー４上部に敷設するか、或いはチューブ状の吸水性発熱材５ａを光ファイバー４に被覆して配置した構造とすることにより、プール躯体２ａが欠陥や経年劣化によって漏水を生じた場合に、前記吸水性ポリマーが迅速に水を吸収して浸水を抑制し、漏水による被害を最小限に抑えるとともに、水を吸収した発熱層５の取替範囲を限定することが可能となり、プール躯体２ａや水を含んだ下部構造１の補修や取替えに要する費用、時間を抑制することができる。
プール躯体２ａから漏水した場合に、吸水性発熱シート材５ａ２の吸水範囲及び取替範囲を限定することができ、吸水性発熱シート材５ａ２のみを取り替えることが可能で、取替作業が容易となる。
また、透水性を有す被覆シート内の水和発熱物質が漏水した水分と迅速に反応して発熱し、その発熱反応を光ファイバー４で容易に検知し、早期に漏水検知及び漏水箇所の特定を行うことが可能である。
さらに、水和発熱物質及び吸水性ポリマーが被覆シートに封入されているため、吸水性発熱シート材５ａ２の敷設時や取替え時に水和発熱物質及び吸水性ポリマーが外部へ漏れることが無く、吸水した吸水性発熱シート材５ａ２の取替えが容易である。
吸水性発熱材５ａで構成される発熱層５、透水性断熱材６ａで構成される保護層６及びプール躯体２ａを含む上部構造物の荷重の影響を受けることがなく、水を含んだ吸水性発熱材５ａや劣化した光ファイバー４のみを前記構造物が載置された状態で着脱自在に引抜き又は挿通して部分的に取替えることが可能である。
【産業上の利用可能性】
【００３４】
この発明に係る漏水検知及び漏水拡大防止機能を備えた屋内プールの下部構造は、屋内プールに限定されることなく、その要旨を逸脱しない範囲で種々の構造物の漏水検知及び漏水拡大防止に使用することが可能である。
【符号の説明】
【００３５】
１ 漏水検知及び漏水拡大防止機能を備えた屋内プールの下部構造        
２ 屋内プール
２ａ プール躯体
３ 漏水監視装置
４ 光ファイバー
５ 発熱層
５ａ  吸水性発熱材
５ａ１  吸水性発熱チューブ材
５ａ２  吸水性発熱シート材
６  保護層
６ａ  透水性断熱材
６ａ１  透水性断熱ブロック材
７ 溝
８ 基礎
８ａ 建物の床
【図１】
2018184799.tif 000003
【図２】
2018184799.tif 000004
【図３】
2018184799.tif 000005
【図４】
2018184799.tif 000006